(57)【要約】【課題】  居室親機が玄関子機と通話中であっても少なくとも管理室親機からのメッセージ送信を通知でき、通話終了後に居室親機の操作でメッセージを確認できる。【解決手段】  居室親機に、管理室親機のメッセージ送信操作により送出されたメッセージ通知信号を記憶する通知メモリ、メッセージ通知信号を受けたことを報知するＬＥＤを設けると共に、制御機にメッセージを記憶する制御機メモリを設け、メッセージ送信対象の居室親機が玄関子機と通話中の時に管理室親機からメッセージ送信が成された場合は、居室親機の通知メモリにメッセージ通知信号を記憶（Ｓ４）し、メッセージは制御機メモリに記憶させた（Ｓ５）。玄関子機との通話終了後にＬＥＤを点滅させてメッセージ有りを居住者に報知し、それを認識した居住者によりメッセージ確認操作（Ｓ６）がなされたら、制御機に記憶されたメッセージの再生（Ｓ７）が成される。【選択図】  図４
2007208504.tif 000002
【特許請求の範囲】
【請求項１】
居住者を呼び出すために集合玄関に設置された集合玄関機及び個々の居室玄関に設置された玄関子機と、前記集合玄関機或いは玄関子機からの呼び出しに応答するために住戸内に設置された居室親機と、システムを制御する制御機と、管理室に設置された管理室親機とを有し、前記居室親機にはメッセージを録音する為の録音メモリが備えられた集合住宅インターホンシステムにおいて、
前記管理室親機は、メッセージ通知信号を送出するメッセージ送信手段を備えてメッセージの送信が可能である一方、前記居室親機は、前記管理室親機から送出されたメッセージ通知信号を記憶する通知信号記憶手段と、メッセージ通知信号を受けたことを報知するメッセージ受信報知手段とを有し、
前記居室親機は、前記玄関子機と通話中に前記メッセージ通知信号を受信した時には、前記玄関子機との通話を維持すると共に前記メッセージ通知信号を記憶し、前記玄関子機との通話が終了したら記憶した前記メッセージ通知信号を受けて前記管理室親機からメッセージ送信操作が成されたことを居住者に対して報知動作する制御を行う親機制御手段を有することを特徴とする集合住宅インターホンシステム。
【請求項２】
居住者を呼び出すために集合玄関に設置された集合玄関機及び個々の居室玄関に設置された玄関子機と、前記集合玄関機或いは玄関子機からの呼び出しに応答するために住戸内に設置された居室親機と、システムを制御する制御機と、管理室に設置された管理室親機とを有し、前記居室親機にはメッセージを録音する為の録音メモリが備えられた集合住宅インターホンシステムにおいて、
前記管理室親機は、メッセージ通知信号を送出するメッセージ送信手段を備えてメッセージの送信が可能である一方、前記居室親機は、前記管理室親機から送出されたメッセージ通知信号を記憶する通知信号記憶手段と、メッセージ通知信号を受けたことを報知するメッセージ受信報知手段とを有し、
前記居室親機は、居住者同士の伝言を前記録音メモリに記憶する操作が行われている最中に前記メッセージ通知信号を受信した時には、前記伝言の録音を妨げる事無く前記メッセージ通知信号を記憶し、伝言録音操作が終了したら記憶した前記メッセージ通知信号を受けて前記管理室親機からメッセージ送信操作が成されたことを居住者に対して報知する制御を行う親機制御手段を有することを特徴とする集合住宅インターホンシステム。
【請求項３】
前記制御機は、前記管理室親機から前記居室親機に送信されたメッセージを保存するメッセージ記憶手段を有することを特徴とする請求項１または請求項２記載の集合住宅インターホンシステム。
【請求項４】
前記居室親機の親機制御手段は、前記管理室親機からメッセージ送信操作を受けた時に使用中等で録音困難な場合には録音不可信号を生成して返信し、前記制御機は前記録音不可信号を受けて管理室親機からのメッセージをメッセージ記憶手段に保存することを特徴とする請求項３記載の集合住宅インターホンシステム。
【請求項５】
前記制御機は、メッセージ送信対象の居室親機に対して前記メッセージ記憶手段に記憶したメッセージのアドレス情報を送出するアドレス情報送信手段を有し、
前記居室親機にてメッセージの確認操作が行われると、送信された前記アドレス情報を基に前記メッセージ記憶手段に記憶されたメッセージが居室親機において再生されることを特徴とする請求項３又は４に記載の集合住宅インターホンシステム。
【発明の詳細な説明】
【技術分野】
【０００１】
本発明は集合住宅インターホンシステムに関し、特に管理人からのメッセージを録音して居室親機で再生することができる集合住宅インターホンシステムに関する。
【背景技術】
【０００２】
従来の集合住宅インターホンシステムにおいて、管理人から居住者にメッセージを伝える機能を備えたシステムとして、特許文献１に開示された技術がある。これは、居室親機に複数種類のメッセージを予め記憶させておき、管理室親機の操作でメッセージを選択して居室親機に表示させる構成となっており、ある程度のメッセージ内容まで伝達可能となっている。
【特許文献１】特開平５−１１０７００号公報
【発明の開示】
【発明が解決しようとする課題】
【０００３】
しかしながら、上記特許文献１に開示された集合住宅インターホンシステムにおいては、居室親機が玄関子機と通話中の場合や、他の居住者のために伝言を録音している最中では、居室親機が使用中であっても制御機と居室親機の間の通話路は使用状態に無いため、制御機或いは管理室親機で居室親機が使用中であることが把握できず、メッセージを伝達できないことが後にならないと分からないものであった。また、送信されたメッセージを居住者が居室親機の表示を見ることで管理人に問い合わせしなくてもある程度の内容を知ることができるが、居住者がメッセージの詳細を知りたい場合や、予め記憶させたメッセージ内容に無い内容の場合には、管理人を呼び出して通話しなければならなかった。
【０００４】
そこで、本発明はこのような問題点に鑑み、居室親機が玄関子機と通話中であっても少なくとも管理室親機からのメッセージ送信を通知でき、通話終了後に居室親機の操作でメッセージを確認できる集合住宅インターホンシステムを提供することを目的としている。
【課題を解決するための手段】
【０００５】
上記課題を解決する為に、請求項１に記載の発明は、居住者を呼び出すために集合玄関に設置された集合玄関機及び個々の居室玄関に設置された玄関子機と、集合玄関機或いは玄関子機からの呼び出しに応答するために住戸内に設置された居室親機と、システムを制御する制御機と、管理室に設置された管理室親機とを有し、居室親機にはメッセージを録音する為の録音メモリが備えられた集合住宅インターホンシステムにおいて、管理室親機は、メッセージ通知信号を送出するメッセージ送信手段を備えてメッセージの送信が可能である一方、居室親機は、管理室親機から送出されたメッセージ通知信号を記憶する通知信号記憶手段と、メッセージ通知信号を受けたことを報知するメッセージ受信報知手段とを有し、居室親機は、玄関子機と通話中にメッセージ通知信号を受信した時には、玄関子機との通話を維持すると共にメッセージ通知信号を記憶し、玄関子機との通話が終了したら記憶したメッセージ通知信号を受けて管理室親機からメッセージ送信操作が成されたことを居住者に対して報知動作する制御を行う親機制御手段を有することを特徴とする。
この発明によれば、居室親機が玄関子機と通話中であって管理人からのメッセージを録音できない状態であっても、居住者はメッセージ送信操作が行われたことを通話終了後に認識できる。そのため、居住者からの問い合わせを待てば良く、管理人がメッセージ送信先に再度メッセージ送信操作をする必要がなくなる。
【０００６】
請求項２の発明は、居住者を呼び出すために集合玄関に設置された集合玄関機及び個々の居室玄関に設置された玄関子機と、集合玄関機或いは玄関子機からの呼び出しに応答するために住戸内に設置された居室親機と、システムを制御する制御機と、管理室に設置された管理室親機とを有し、居室親機にはメッセージを録音する為の録音メモリが備えられた集合住宅インターホンシステムにおいて、管理室親機は、メッセージ通知信号を送出するメッセージ送信手段を備えてメッセージの送信が可能である一方、居室親機は、管理室親機から送出されたメッセージ通知信号を記憶する通知信号記憶手段と、メッセージ通知信号を受けたことを報知するメッセージ受信報知手段とを有し、居室親機は、居住者同士の伝言を録音メモリに記憶する操作が行われている最中にメッセージ通知信号を受信した時には、伝言の録音を妨げる事無くメッセージ通知信号を記憶し、伝言録音操作が終了したら記憶したメッセージ通知信号を受けて管理室親機からメッセージ送信操作が成されたことを居住者に対して報知する制御を行う親機制御手段を有する。
この発明によれば、居室親機が他の居住者のための伝言録音中であって管理人からのメッセージを録音できない状態であっても、居住者はメッセージ送信操作が行われたことを録音終了後に認識できる。そのため、居住者からの問い合わせを待てば良く、管理人がメッセージ送信先に再度メッセージ送信操作をする必要がなくなる。
【０００７】
請求項３の発明は、請求項１又は２に記載の発明において、制御機は、管理室親機から居室親機に送信されたメッセージを保存するメッセージ記憶手段を有することを特徴とする。
この発明によれば、制御機にメッセージが保存されるので、録音できなかった居室親機はもちろん、間違ってメッセージを消去してしまった居室親機からでも管理人に問い合わせすることなくメッセージ内容を把握することが可能となる。
【０００８】
請求項４の発明は、請求項３に記載の発明において、居室親機の親機制御手段は、管理室親機からメッセージ送信操作を受けた時に使用中等で録音困難な場合には録音不可信号を生成して返信し、制御機は録音不可信号を受けて管理室親機からのメッセージをメッセージ記憶手段に保存することを特徴とする。
この発明によれば、居室親機がメッセージを録音できない時のみ制御機にメッセージが保存されるので、制御機に設けるメッセージ記憶手段の容量を小さくできる。
【０００９】
請求項５の発明は、請求項３又は４に記載の発明において、制御機は、メッセージ送信対象の居室親機に対して前記メッセージ記憶手段に記憶したメッセージのアドレス情報を送出するアドレス情報送信手段を有し、居室親機にてメッセージの確認操作が行われると、送信されたアドレス情報を基にメッセージ記憶手段に記憶されたメッセージが居室親機において再生されることを特徴とする。
この発明によれば、居住者は特殊な操作をすることなく、例えばメッセージ再生ボタンを押すだけでメッセージを取り出して内容を把握することができる。
【発明の効果】
【００１０】
本発明によれば、居室親機が玄関子機と通話中であって管理人からのメッセージを録音できない状態であっても、居住者はメッセージ送信操作が行われたことを通話終了後に認識できる。そのため、居住者からの問い合わせを待てば良く、管理人がメッセージ送信先に再度メッセージ送信操作をする必要がなくなる。そして、制御機等にメッセージを記憶させることで、居住者は管理人に問い合わせしなくてもメッセージ内容を把握することができる。
また、居室親機が他の居住者のための伝言録音中であって管理人からのメッセージを録音できない状態であっても、メッセージ送信操作が行われたことを伝言録音終了後に認識できるので、居住者からの問い合わせを待てば良く、管理人がメッセージ送信先に再度メッセージ送信操作をする必要がなくなる。そして、制御機等にメッセージを録音させれば、居住者は問い合わせしなくてもメッセージ内容を把握することができる。
【発明を実施するための最良の形態】
【００１１】
以下、本発明を具体化した実施の形態を、図面に基づいて詳細に説明する。図１は本発明に係る集合住宅インターホンシステム一例を示す構成図であり、１は集合玄関に設置されて居住者を呼び出すための集合玄関機、２は個々の居室玄関に設置されて居住者を呼び出すための玄関子機、３は住戸内に設置されて呼び出しに応答するための居室親機、４はシステムを制御する制御機、５は管理室に設置されて居室親機３等と通話するための管理室親機である。集合玄関機１、管理室親機５は制御機４に伝送線Ｌ１，Ｌ２により接続され、制御機４は各居室親機３に制御機幹線Ｌ３及び住戸アダプタ６を介して接続されている。また、玄関子機２は個々の居室親機３に伝送線Ｌ４により接続されている
【００１２】
集合玄関機１は、呼出操作するためのテンキー１１、来訪者を撮像するカメラ１２等を備え、玄関子機２は来訪者を撮像するカメラ１５、呼出ボタン１６を備えている。また、居室親機３はカメラ１２，１５の撮像映像を出画するモニタ１８、モニタ１８の前面に配置された操作部であるタッチパネル１９を備えている。そして、管理室親機５は、カメラ１２，１５の撮像映像を出画するモニタ２０、モニタ２０の前面に配置された操作部であるタッチパネル２１、通話するためのハンドセット２２を備えている。尚、管理室親機５は制御機４と一体に構成しても良い。
【００１３】
図２は居室親機３の回路ブロック図であり、２５は伝送されてきた映像信号を復調する復調回路、２６は通話を制御する通話回路、２７はスピーカ、２８はマイク、２９はメッセージが記憶される録音メモリ、３０は映像が記憶される録画メモリ、３１はメッセージ有りを通知するための通知信号記憶部としての通知メモリ、３２はメッセージ有りを報知するメッセージ受信報知手段としてのＬＥＤ、３３は住戸アダプタ６を介して制御機幹線Ｌ３に接続すると共に玄関子機２を接続するための親機ＩＦ（インターフェイス）、３４は親機制御手段である親機ＣＰＵである。居室親機３と住戸アダプタ６とは伝送線Ｌ５で接続されている。
【００１４】
また図３は制御機４の回路ブロック図であり、３７は集合玄関機１及び管理室親機５を接続する第１ＩＦ（インターフェイス）、３８は制御機幹線Ｌ３を介して各居室親機３，３・・に接続するための第２ＩＦ（インターフェイス）、３９は集合玄関機１等の機器からの呼び出しに応じて通話路を形成する通話路形成部、４０は制御機ＣＰＵ、４１はメッセージ記憶手段としての制御機メモリである。
【００１５】
このように構成された集合住宅インターホンシステムについて、以下、動作を説明する。尚、来訪者による集合玄関機１からの呼び出し、この呼び出しを受けて行われる集合玄関機１と居室親機３の間の通話、オートドアの解錠等の動作については従来と同様であるため説明を省略し、管理人が居住者に対してメッセージを送信する場合の動作を図４のフローチャートを基に説明する。
【００１６】
管理室親機５のタッチパネル２１を操作して居室番号等を入力してメッセージ送信先を特定し、メッセージ送信ボタン（図示せず）を押すと、制御機４のメッセージ送信手段としての制御機ＣＰＵ４０は、メッセージの送信であることを通知するメッセージ通知信号に居室ＩＤを付加して居室親機３に送信（Ｓ１）する。そして、制御機ＣＰＵ４０は、返信されてきた信号から対象居室親機３が玄関子機２と通話中（或いは、家族に対する伝言作成中）であるか（Ｓ２）、集合玄関機１と通話中であるか（Ｓ３）、何れでもないか即ち待受状態にあるか判断する。
【００１７】
返信信号から待受状態にあると判断したら、制御機ＣＰＵ４０は通話路形成部３９を制御して管理室親機５と特定された居室親機３の間の通話路を形成する。また、メッセージ通知信号を受けた居室親機３は、親機ＣＰＵ３４が通知メモリ３１にメッセージ通知信号を記憶し、録音メモリ２９へのメッセージ録音を開始させる。
【００１８】
そして制御機ＣＰＵ４０が、管理室親機５に対してメッセージの録音開始信号を出力して、管理人によるメッセージの録音が成される。こうして管理室親機５から送信されたメッセージは居室親機３の録音メモリ２９に録音される（Ｓ８）。その後、メッセージ送信を終了すると、通話路が遮断される。
こうしてメッセージ送信が成されて居室親機３に録音されたら、居室親機３が所定のメッセージ再生操作で再生される。例えばタッチパネル１９上の再生ボタンを押す（Ｓ９）ことで、録音メモリ２９に録音されたメッセージがスピーカ２７から報音（Ｓ１０）され、居住者はメッセージ内容を把握することができる。
【００１９】
次に、特定された居室親機３が玄関子機２と通話中である場合、或いは居室親機３が家族に対して伝言録音中である場合について説明する。
居室親機３が玄関子機２と通話中の場合、居室親機３の親機ＣＰＵ３４は、玄関子機２と通話中に管理室親機５からメッセージ通知信号を受信したら、通知メモリ３１にメッセージ通知信号を記録（Ｓ４）し、録音不可信号を制御機４に対して出力する。また、住戸アダプタ６に対して通話路形成信号を出力せずに、玄関子機２との通話を維持する。
【００２０】
制御機４は、録音不可信号を受けて管理室親機５から送信されるメッセージを居室親機３に送信せず制御機メモリ４１に記憶する（Ｓ５）。この記憶操作は、制御機４から管理室親機５に録音開始信号が送信されることで、管理人はメッセージの録音を実施することができ、管理室親機５から送信されたメッセージが制御機メモリ４１に記憶される。
そして、制御機４はメッセージの録音が終了したら、この録音情報を居室ＩＤに記憶場所（アドレス）を付加して対応する居室親機３に送信する。
【００２１】
一方、玄関子機２と通話が終了した居室親機３の親機ＣＰＵ３４は、通知メモリ３１に記憶したメッセージ通知信号を受けて、ＬＥＤ３２の点滅等でメッセージ有りを報知する。これにより、居住者はメッセージ送信が成されたことを認識でき、タッチパネル１９等で確認操作（Ｓ６）をすることで、送信された記憶場所情報を基に、制御機４の制御機メモリ４１に記憶したメッセージを取り出して再生（Ｓ７）し、内容を把握することができる。
【００２２】
特定された居室親機３が家族等の居住者に対して伝言録音中である場合も同様であり、居室親機３の親機ＣＰＵ３４は、伝言作成中に管理室親機５からメッセージ通知信号を受信したら、通知メモリ３１にメッセージ通知信号を記録（Ｓ４）し、録音不可信号を制御機４に対して出力する。そして、住戸アダプタ６に対して通話路形成信号を出力せずに、伝言作成動作を継続する。録音不可信号を受けた制御機４は、管理室親機５から送信されるメッセージを居室親機３に送信せず制御機メモリ４１に記憶する（Ｓ５）。
【００２３】
制御機４は、メッセージの録音が終了したら、この録音情報を居室ＩＤに記憶場所（アドレス）を付加して対応する居室親機３に送信する。一方、玄関子機２と通話が終了した居室親機３は、通知メモリ３１に記憶したメッセージ通知信号を基に、親機ＣＰＵ３４はＬＥＤ３２の点滅等で、メッセージ有りを報知する。
これにより、居住者はメッセージ有りを認識でき、タッチパネル１９等で確認操作（Ｓ６）をすることで、送信された記憶場所情報を基に、制御機４の制御機メモリ４１に記憶したメッセージを取り出して再生（Ｓ７）し、内容を把握することができる。
【００２４】
次に、特定された居室親機３が集合玄関機１と通話中であった場合について説明する。居室親機３の親機ＣＰＵ３４は、集合玄関機１と通話中に管理室親機５からメッセージ通知信号を受信したら、通知メモリ３１にメッセージ通知信号を記録（Ｓ４）し、録音不可信号を制御機４に対して出力する。制御機４は、録音不可信号を受けて管理室親機５から送信されるメッセージを制御機メモリ４１に記憶する（Ｓ５）。この記憶操作は、制御機４から管理室親機５に録音開始信号が送信されることで、管理人はメッセージの録音を実施することができ、管理室親機５から送信されたメッセージが制御機メモリ４１に記憶される。
【００２５】
制御機４は、メッセージの録音が終了したら、この録音情報を居室ＩＤに記憶場所（アドレス）を付加して対応する居室親機３に送信する。また、玄関子機２と通話が終了した居室親機３は、通知メモリ３１に記憶したメッセージ通知信号を基に、親機ＣＰＵ３４はＬＥＤ３２の点滅等で、メッセージ有りを報知する。
これにより、居住者はメッセージ有りを認識でき、タッチパネル１９等で確認操作（Ｓ６）をすれば、送信された記憶場所情報を基に制御機４の制御機メモリ４１に記憶したメッセージを取り出して再生（Ｓ７）し、内容を把握することができる。
【００２６】
このように、居室親機にメッセージが録音できない場合は制御機に録音させて、居室親機に対してメッセージ送信が成されたことを通知するので、居室親機が玄関子機と通話中であっても、また、居室親機が家族に伝言を残すために使用中であっても、更に、集合玄関機と通話中であっても、居住者はメッセージ送信操作が行われたことを認識できるし、そのメッセージを居室親機にて再生でき、管理人に問い合わせる事無くメッセージ内容を把握することできる。しかも、居室親機にメッセージが記憶されたアドレス情報が送信されるので、居住者は特殊な操作をすることなく、例えばメッセージ再生ボタンを押す操作だけでメッセージを取り出して内容を把握することができる。そのため、管理人はメッセージ送信先の居室親機が使用中の状態であっても、１回のメッセージ送信操作で済み、再度メッセージ送信操作をする必要がなくなる。
【００２７】
尚、上記実施形態では、居室親機３の録音メモリ２９に、メッセージの録音ができない場合に、制御機４の制御機メモリ４１を使用して録音させているが、居室親機３の録音メモリ２９の録音可／不可に拘わらず制御機メモリ４１に録音するよう動作させても良い。この場合、録音できなかった居室親機３はもちろん、間違ってメッセージを消去してしまった居室親機３からでも管理人に問い合わせすることなくメッセージ内容を把握することが可能となる。特に、この構成は居室親機３の録音メモリ２９がＳＤカード等の取り外し可能なメモリで構成される場合、録音が困難となる不具合の発生が考えられるため、好適である。
また、ＬＥＤ３２に加えてスピーカ２７を使用して音声によりメッセージ有りを報知しても良いし、居室親機３で録音できない場合のメッセージ記憶場所は、管理室親機５自身で行っても良い。
【図面の簡単な説明】
【００２８】
【図１】本発明に係る集合住宅インターホンシステムの実施形態の一例を示す構成図である。
【図２】図１の居室親機の回路ブロック図である。
【図３】図１の制御機の回路ブロック図である。
【図４】メッセージ録音制御の流れを示すフローチャートである。
【符号の説明】
【００２９】
１・・集合玄関機、２・・玄関子機、３・・居室親機、４・・制御機、５・・管理室親機、６・・住戸アダプタ、１８・・モニタ、１９・・タッチパネル、２０・・モニタ、２１・・タッチパネル（メッセージ送信手段）、２２・・ハンドセット（メッセージ送信手段）、２９・・録音メモリ、３１・・通知メモリ（通知信号記憶手段）、３２・・ＬＥＤ（メッセージ受信報知手段）、３４・・親機ＣＰＵ（親機制御手段）、４０・・制御機ＣＰＵ（メッセージ送信手段、アドレス情報送信手段）、４１・・制御機メモリ（メッセージ記憶手段）。
【図１】
2007208504.tif 000003
【図２】
2007208504.tif 000004
【図３】
2007208504.tif 000005
【図４】
2007208504.tif 000006